(57)【要約】      （修正有）【課題】スペースをとらずに１体のドアストッパーでドアの両面方向への回動を固定することができ、ドアの底面と床面との距離が大きく或いは変化した場合でもドアを強固に床面に固定することのできるドアストッパーを提供する。【解決手段】解放状態にあるドアに装着する基盤部１０と、当該基盤部と一体的になってドアの回動を阻止して解放状態を維持するドア固定部２０とを有する。ドア固定部は、一端に床面に当接する当接部材３１を備えた棒状の突張部材３０と、当該突張部材を固定する固定部材４０とを具備する。固定部材は、突張部材の位置を調節して当接部材が床面に当接する位置で固定することにより、ドア固定部が基盤部を介してドアを固定する。【選択図】図２
0003233243.tif 000002
【実用新案登録請求の範囲】
【請求項１】
解放状態にあるドアに装着する基盤部と、当該基盤部と一体的になってドアの回動を阻止して解放状態を維持するドア固定部とを有するドアストッパーであって、
前記ドア固定部は、一端に床面に当接する当接部材を備えた棒状の突張部材と、当該突張部材を固定する固定部材とを具備し、
前記固定部材は、前記突張部材の位置を調節して前記当接部材が床面に当接する位置で固定することにより、前記ドア固定部が前記基盤部を介してドアを固定することを特徴とするドアストッパー。
【請求項２】
前記固定部材は、前記突張部材を支持する固定部材本体と、前記突張部材を調節された位置で前記固定部材本体に固定する係止部材とを具備し、
前記固定部材本体は、前記基盤部に一体的に取り付けられると共に、前記突張部材を上下スライド可能とする第１挿通穴を具備して当該突張部材の位置を調節可能とし、
前記係止部材は、前記突張部材の係止状態を維持する半固定式の係止具と、当該係止具による係止状態を解除する解除具とを具備し、
前記係止具は、前記突張部材を係止する微動可能な係止爪を備えた第２挿通穴を具備し、
当該係止具は、一端を前記固定部材本体に固定し他端を回動可能にすることにより、前記突張部材を前記固定部材本体から下方に引き下げる際には、当該係止具が水平状態となって、前記突張部材が前記係止爪と噛合うことなく下方にスライド可能となり、
前記突張部材を前記固定部材本体から上方に引き上げる際には、当該係止具の他端が上方に引き上げられて水平状態から垂直方向に向けて傾斜し、前記突張部材が前記係止爪と噛合うことにより係止状態となり、
前記解除具は、係止状態にある前記係止具の他端を下方に押し下げて水平状態とすることにより、前記突張部材が係止状態を解除して上方にスライド可能となることを特徴とする請求項１に記載のドアストッパー。
【請求項３】
前記突張部材は、太管と細管とからなる伸縮可能な円筒二重管からなり、
前記太管は、前記固定部材本体に設けられた前記第１挿通穴を介して上下スライドすると共に、前記係止部材を介して調節された位置で前記固定部材本体に固定され、
前記細管は、一端に前記当接部材を有すると共に、他端を前記太管の内部に挿入された第１スプリングの反発力に抗して当該太管の下端部から内部に挿入して前記太管に対して伸縮収納可能な状態にあり、
前記突張部材の位置を調節して前記当接部材が床面に当接する位置で固定する際には、前記第１スプリングの反発力に抗して前記細管を前記太管の内部に押し込むように固定することにより、前記ドア固定部が前記基盤部を介してドアを強固に固定することを特徴とする請求項１又は２に記載のドアストッパー。
【請求項４】
前記太管は、その外周部に装着された第２スプリングを具備し、
前記第２スプリングは、前記太管の上端部と前記固定部材本体の前記第１挿通穴との間で伸縮可能な状態にあり、
前記突張部材が床面に当接しない際には、前記第２スプリングが伸長した状態になって、当該突張部材が前記固定部材本体の上方に押し上げられた位置となり、
前記突張部材が床面に当接してドアを固定した際には、前記第２スプリングが圧縮した状態となり、
前記突張部材が床面に当接した状態から前記係止部材を解除する際には、当該突張部材が圧縮された前記第２スプリングの反発力を利用して、当該突張部材が前記固定部材本体の上方に押し上げられることを特徴とする請求項３に記載のドアストッパー。
【請求項５】
前記基盤部は、ドアの一方の表面部から底面部にかけて当接する断面Ｌ字形の第１取付部材と、ドアの他方の表面部から底面部にかけて当接する断面Ｌ字形の第２取付部材とを具備し、
前記第１取付部材と第２取付部材とが、ドアの底面部で連結してドアの厚みに対応することにより、前記基盤部が一体的にドアに装着されることを特徴とする請求項１〜４のいずれか１つに記載のドアストッパー。
【考案の詳細な説明】
【技術分野】
【０００１】
本考案は、開放したドアを任意の位置で固定するドアストッパーに関するものである。特に、ビルや住宅等の建築現場において施工時に取り付けたドアや防火用ドアに対して床面が完成していない場合でも使用できるドアストッパーに関するものである。
【背景技術】
【０００２】
一般に、開放したドアを任意の位置で固定するドアストッパーとして、回動可能な脚部と、当該脚部を回動可能に軸支する軸支部材と脚部を係止する係止部材とを有する基盤部からなるものは存在している。例えば、下記特許文献１及び２などを挙げることができる。また、これらのドアストッパーの使用状態を改良・改善する多くの提案もなされている。
【０００３】
しかし、これらのドアストッパーは、一般に建築施工後のマンションや戸建て住宅などで使用されるものであり、いずれも脚部の長さが一定であり調整することはできない。これは無理もないことであって、マンションや戸建て住宅の個々のドアの底面と床面の距離はそれほど離れてはおらず、また、個々の住宅においても大きな差異はない。従って、市販品の中から自宅等の各ドアに対応した長さの脚部を持つドアストッパーを購入し使用すればよい。
【０００４】
一方、ビルや住宅等の建築現場においては、工事中に作業者が頻繁に出入りするのでドアの解放状態を確実に固定する必要がある。また、床面のコンクリート打ちや床面仕上げの前にドアが設置される場合も多い。これらの建築現場においては、ドアの底面と床面との距離が大きい場合や、床面の工事の進捗によってドアの底面と床面との距離が変化していく場合もある。このような場合には、市販の一般向けのドアストッパーを使用することができず、また、ドアを強固に固定するという意味では不安がある。
【０００５】
また、床面の状態もコンクリートであったり砂利や土であったりすることもあり、ドアストッパーの脚部を床面に確実に固定できる必要がある。更に、建築現場においては、壁面や天井などが施工途中の場合もあり、風が強くその意味でもドアに設置するドアストッパーをドアに強固に固定すると共に床面とも強固に固定する必要もある。
【０００６】
そこで、本考案者は、建築現場の施工途中でも使用できるドアストッパーを考案し、下記特許文献3で提案した。
【先行技術文献】
【特許文献】
【０００７】
【特許文献１】特開２００２−０６１４４５号公報
【特許文献２】特開２００３−３０１６５２号公報
【特許文献３】実案第３２２３８３３号公報
【考案の概要】
【考案が解決しようとする課題】
【０００８】
上記特許文献３に係るドアストッパーは、建築現場の施工途中でも使用できるものであって、ドアの底面と床面の距離が大きく或いは変化した場合でも脚部の長さを調整してドアを強固に床面に固定することができる。しかし、上記特許文献３に係るドアストッパーは、ドアを支える脚部をドアから斜め外側に支持してドアを固定するものであって、ドアの両面方向から固定することがより好ましい。また、このようにドアの両面方向に脚部が広がるので、建築現場においては更にコンパクトでドアを強力に支持することのできるドアストッパーが望まれていた。
【０００９】
そこで、本考案は、上記特許文献３に係るドアストッパーを更に改良し、スペースをとらずに１体のドアストッパーでドアの両面方向への回動を固定することができ、ドアの底面と床面との距離が大きく或いは変化した場合でもドアを強固に床面に固定することのできるドアストッパーを提供することを目的とする。
【課題を解決するための手段】
【００１０】
上記課題の解決にあたり、本考案者は、鋭意研究の結果、ドアストッパーのドア固定部の構造を改良することにより、突張部材をドアと並行に下方に伸ばした場合でも、上記目的を達成できることを見出し本考案の完成に至った。
【００１１】
即ち、本考案に係るドアストッパーは、請求項１の記載によると、
解放状態にあるドア（２００）に装着する基盤部（１０）と、当該基盤部と一体的になってドアの回動を阻止して解放状態を維持するドア固定部（２０）とを有するドアストッパー（１００）であって、
前記ドア固定部は、一端に床面に当接する当接部材（３１）を備えた棒状の突張部材（３０）と、当該突張部材を固定する固定部材（４０）とを具備し、
前記固定部材は、前記突張部材の位置を調節して前記当接部材が床面に当接する位置で固定することにより、前記ドア固定部が前記基盤部を介してドアを固定することを特徴とする。
【００１２】
また、本考案は、請求項２の記載によると、請求項１に記載のドアストッパーであって、
前記固定部材は、前記突張部材を支持する固定部材本体（５０）と、前記突張部材を調節された位置で前記固定部材本体に固定する係止部材（６０）とを具備し、
前記固定部材本体は、前記基盤部に一体的に取り付けられると共に、前記突張部材を上下スライド可能とする第１挿通穴（５２ａ，５３ａ）を具備して当該突張部材の位置を調節可能とし、
前記係止部材は、前記突張部材の係止状態を維持する半固定式の係止具（６１）と、当該係止具による係止状態を解除する解除具（６５）とを具備し、
前記係止具は、前記突張部材を係止する微動可能な係止爪（６４）を備えた第２挿通穴（６１ｃ，６４ｃ）を具備し、
当該係止具は、一端を前記固定部材本体に固定し他端を回動可能にすることにより、前記突張部材を前記固定部材本体から下方に引き下げる際には、当該係止具が水平状態となって、前記突張部材が前記係止爪と噛合うことなく下方にスライド可能となり、
前記突張部材を前記固定部材本体から上方に引き上げる際には、当該係止具の他端が上方に引き上げられて水平状態から垂直方向に向けて傾斜し、前記突張部材が前記係止爪と噛合うことにより係止状態となり、
前記解除具は、係止状態にある前記係止具の他端を下方に押し下げて水平状態とすることにより、前記突張部材が係止状態を解除して上方にスライド可能となることを特徴とする。
【００１３】
また、本考案は、請求項３の記載によると、請求項１又は２に記載のドアストッパーであって、
前記突張部材は、太管（３３）と細管（３２）とからなる伸縮可能な円筒二重管からなり、
前記太管は、前記固定部材本体に設けられた前記第１挿通穴を介して上下スライドすると共に、前記係止部材を介して調節された位置で前記固定部材本体に固定され、
前記細管は、一端に前記当接部材を有すると共に、他端を前記太管の内部に挿入された第１スプリング（３４）の反発力に抗して当該太管の下端部から内部に挿入して前記太管に対して伸縮収納可能な状態にあり、
前記突張部材の位置を調節して前記当接部材が床面に当接する位置で固定する際には、前記第１スプリングの反発力に抗して前記細管を前記太管の内部に押し込むように固定することにより、前記ドア固定部が前記基盤部を介してドアを強固に固定することを特徴とする。
【００１４】
また、本考案は、請求項４の記載によると、請求項３に記載のドアストッパーであって、
前記太管は、その外周部に装着された第２スプリング（３５）を具備し、
前記第２スプリングは、前記太管の上端部（３６）と前記固定部材本体の前記第１挿通穴（５２ａ）との間で伸縮可能な状態にあり、
前記突張部材が床面に当接しない際には、前記第２スプリングが伸長した状態になって、当該突張部材が前記固定部材本体の上方に押し上げられた位置となり、
前記突張部材が床面（Ｇ）に当接してドアを固定した際には、前記第２スプリングが圧縮した状態となり、
前記突張部材が床面に当接した状態から前記係止部材を解除する際には、当該突張部材が圧縮された前記第２スプリングの反発力を利用して、当該突張部材が前記固定部材本体の上方に押し上げられることを特徴とする。
【００１５】
また、本考案は、請求項５の記載によると、請求項１〜４のいずれか１つに記載のドアストッパーであって、
前記基盤部は、ドア（２００）の一方の表面部（２０１）から底面部（２０３）にかけて当接する断面Ｌ字形の第１取付部材（１１）と、ドアの他方の表面部（２０２）から底面部にかけて当接する断面Ｌ字形の第２取付部材（１２）とを具備し、
前記第１取付部材と第２取付部材とが、ドアの底面部で連結してドアの厚みに対応することにより、前記基盤部が一体的にドアに装着されることを特徴とする。
【００１６】
なお、上記各手段の括弧内の符号は、後述する実施形態に記載の具体的手段との対応関係を示す。
【考案の効果】
【００１７】
上記構成によれば、本考案に係るドアストッパーは、基盤部とドア固定部とを有している。基盤部は、解放状態にあるドアに装着する。ドア固定部は、基盤部と一体的になってドアの回動を阻止して解放状態を維持する。ドア固定部は、一端に床面に当接する当接部材を備えた棒状の突張部材と、当該突張部材を固定する固定部材とを具備している。固定部材は、突張部材の位置を調節して当接部材が床面に当接する位置で固定することにより、ドア固定部が基盤部を介してドアを固定する。
【００１８】
このことにより、スペースをとらずに１体のドアストッパーでドアの両面方向への回動を固定することができ、ドアの底面と床面との距離が大きく或いは変化した場合でもドアを強固に床面に固定することのできるドアストッパーを提供することができる。
【００１９】
また、上記構成によれば、固定部材は、突張部材を支持する固定部材本体と、突張部材を調節された位置で固定部材本体に固定する係止部材とを具備している。固定部材本体は、基盤部に一体的に取り付けられると共に、突張部材を上下スライド可能とする第１挿通穴を具備して当該突張部材の位置を調節可能とする。係止部材は、突張部材の係止状態を維持する半固定式の係止具と、当該係止具による係止状態を解除する解除具とを具備している。
【００２０】
係止具は、突張部材を係止する微動可能な係止爪を備えた第２挿通穴を具備している。当該係止具は、一端を固定部材本体に固定し他端を回動可能にすることにより、突張部材を固定部材本体から下方に引き下げる際には、当該係止具が水平状態となって、突張部材が前記係止爪と噛合うことなく下方にスライド可能となる。一方、突張部材を固定部材本体から上方に引き上げる際には、当該係止具の他端が上方に引き上げられて水平状態から垂直方向に向けて傾斜し、突張部材が係止爪と噛合うことにより係止状態となる。
【００２１】
解除具は、係止状態にある係止具の他端を下方に押し下げて水平状態とすることにより、突張部材が係止状態を解除して上方にスライド可能となる。これらのことにより、上記作用効果をより具体的かつ効果的に発揮することができる。
【００２２】
また、上記構成によれば、突張部材は、太管と細管とからなる伸縮可能な円筒二重管からなる。太管は、固定部材本体に設けられた第１挿通穴を介して上下スライドすると共に、係止部材を介して調節された位置で固定部材本体に固定される。細管は、一端に当接部材を有すると共に、他端を太管の内部に挿入された第１スプリングの反発力に抗して当該太管の下端部から内部に挿入して太管に対して伸縮収納可能な状態にある。
【００２３】
この状態で、突張部材の位置を調節して当接部材が床面に当接する位置で固定する際には、第１スプリングの反発力に抗して細管を太管の内部に押し込むように固定することにより、ドア固定部が基盤部を介してドアを強固に固定する。これらのことにより、上記作用効果をより具体的かつ効果的に発揮することができる。
【００２４】
また、上記構成によれば、太管は、その外周部に装着された第２スプリングを具備している。第２スプリングは、太管の上端部と固定部材本体の第１挿通穴との間で伸縮可能な状態にある。この状態において。突張部材が床面に当接しない際には、第２スプリングが伸長した状態になって、当該突張部材が固定部材本体の上方に押し上げられた位置となる。
【００２５】
一方、突張部材が床面に当接してドアを固定した際には、第２スプリングが圧縮した状態となる。また、突張部材が床面に当接した状態から係止部材を解除する際には、当該突張部材が圧縮された第２スプリングの反発力を利用して、当該突張部材が固定部材本体の上方に押し上げられる。これらのことにより、上記作用効果をより具体的かつ効果的に発揮することができる。
【００２６】
また、上記構成によれば、基盤部は、ドアの一方の表面部から底面部にかけて当接する断面Ｌ字形の第１取付部材と、ドアの他方の表面部から底面部にかけて当接する断面Ｌ字形の第２取付部材とを具備している。第１取付部材と第２取付部材とが、ドアの底面部で連結してドアの厚みに対応することにより、基盤部が一体的にドアに装着される。これらのことにより、上記作用効果をより具体的かつ効果的に発揮することができる。
【図面の簡単な説明】
【００２７】
【図１】本実施形態に係るドアストッパーの使用状態を示す概略図である。
【図２】本実施形態に係るドアストッパーの構造を示す斜視図である。
【図３】図２のドアストッパーを左側面から見た内部の断面図である。
【図４】図２のドアストッパーの基盤部の構成を示す斜視図である。
【図５】図２のドアストッパーの係止部材を構成する係止具の構造を示す（Ａ）平面図、（Ｂ）正面図、（Ｃ）係止爪の平面図、及び各断面図である。
【図６】図２のドアストッパーの作動状態を示す正面図であって、（Ａ）固定前、（Ｂ）固定時、（Ｃ）解除時の各内部断面図である。
【考案を実施するための形態】
【００２８】
以下、本考案に係るドアストッパーを実施形態により説明する。なお、本考案は、下記の実施形態にのみ限定されるものではない。
【００２９】
図１は、本実施形態に係るドアストッパーの使用状態を示す概略図である。図１は、建築現場で既にドア２００が設置されているが、床面Ｇが下地のコンクリートの状態であって、床面Ｇからドア２００の底面部２０３までの距離Ｘがまだ広い場合である。建築現場においては、作業中は既に設置されたドア２００の開放状態を確実に維持する必要がある。そこで、ドア２００の両表面部２０１，２０２のうち一方の表面部２０１の側から１台のドアストッパー１００を設置している。
【００３０】
次に、ドアストッパーの構造について説明する。図２は、本実施形態に係るドアストッパーの構造を示す斜視図である。図３は、図２のドアストッパーを左側面から見た内部の断面図である。図２及び図３において、ドアストッパー１００は、基盤部１０とドア固定部２０とから構成されている。
【００３１】
図４は、ドアストッパーの基盤部の構成を示す斜視図である。図２〜図４において、基盤部１０は、取付部材１１，１２から構成されている。取付部材１１，１２は、いずれも側辺１１ａ，１２ａと下辺１１ｂ，１２ｂとが断面Ｌ字形に構成されている。なお、取付部材１１の側辺１１ａの上部には、基盤部１０とドア固定部２０とを固定するための４つのねじ穴１３が設けられている。
【００３２】
一方の取付部材１１は、ドア２００の一方の表面部２０１に側辺１１ａを当接し、底面部２０３に下辺１１ｂを当接するように設置する。他方の取付部材１２は、ドア２００の他方の表面部２０２に側辺１２ａを当接し、底面部２０３に下辺１２ｂを当接するように設置する。２つの取付部材１１，１２は、ドアの底面部２０３において互いの下辺１１ｂ，１２ｂの間隔を調整してドアの厚みに対応した連結状態とすることができる。なお、取付部材１２の下辺１２ｂから取付部材１１の下辺１１ｂに設けられた調節ネジ１４で取付部材１１，１２の間隔を調整する（図４参照）。
【００３３】
ドア固定部２０は、突張部材３０と固定部材４０から構成されている。突張部材３０は、棒状の円筒二重管であって、一端に床面に当接する当接部材３１を備えた細管３２と、当該細管３２の他端を内部に収納する太管３３とから構成されている。太管３３の内部には、内部スプリング３４の一端が中栓３７で太管３３に固定された状態で挿入されている。内部スプリング３４の他端は、細管３２の他端に固定され、その反発力に抗して細管３２を太管３３に対して伸縮収納可能な状態にしている。
【００３４】
固定部材４０は、固定部材本体５０と係止部材６０から構成されている。固定部材本体５０は、その内部に係止部材６０を収納した筐体からなり、取付部材１１の側辺１１ａの背面（ドアと反対側）に一体的に取り付けられている。図２においては、固定部材本体５０の正面部が蓋５１として開放された状態にあり、内部の係止部材６０を確認することができる。この固定部材本体５０の上面部５２及び下面部５３には、挿通穴５２ａ，５３ａが開口して突張部材３０の太管３３が上下スライド可能に挿通されている。
【００３５】
また、太管３３は、その外径及び挿通穴５２ａ，５３ａの内径よりも太径の上栓３６と下栓３８を上端部と下端部に設け、挿通穴５２ａ，５３ａに挿通された太管３３が固定部材本体５０から脱離することを防止している。また、太管３３は、その外周部に外部スプリング３５を具備している。外部スプリング３５は、上栓３６と固定部材本体５０の上面部５２との間の太管３３の外周部に装着されて、その反発力により太管３３を固定部材本体５０の上方に押し上げている。
【００３６】
係止部材６０は、係止具６１と解除具６５から構成されている。図２において、係止具６１は、突張部材３０の係止状態を維持するために、一方の端部６１aを固定部材本体５０に固定し、他方の端部６１ｂを回動可能な状態に取り付けられている。また、係止具６１の中央部には挿通穴６１ｃが開口して突張部材３０の太管３３が上下スライド可能に挿通されている。なお、他方の端部６１ｂは、固定部材本体５０の下面部５３に取り付けられた係止用スプリング６２の反発力により上方に押し上げている。
【００３７】
また、解除具６４は、突張部材３０の係止状態を解除するために、回動可能な状態にある係止具６１の他方の端部６１ｂの上方の固定部材本体５０の上面部５２に取り付けられている。なお、係止具６１と解除具６４の作用については後述する。
【００３８】
図５は、ドアストッパーの係止部材を構成する係止具の構造を示す（Ａ）平面図、（Ｂ）正面図、（Ｃ）係止爪の平面図、及び各断面図である。図５において、係止具６１は、係止枠６３と係止爪６４から構成されている。係止枠６３は、半固定式の長方形の板状体であって、内部に脱着可能な係止爪６４を微動可能な状態で収装している。係止爪６４は、金属板からなり中央部に開口する挿通穴６４ｃが、係止枠６３の挿通穴６１ｃと同軸状態で係止枠６３の内部に収装されている。
【００３９】
よって、突張部材３０は、これらの挿通穴６１ｃ、６４ｃの中を上下スライド可能に挿通されている。なお、係止爪６４の挿通穴６４ｃの内径が係止枠６３の挿通穴６１ｃの内径より若干小さく開口し、且つ、係止爪６４が微動可能な状態で収装されている。このことにより、係止爪６４の挿通穴６４ｃの両側エッジ６４ａ、６４ｂが太管３３の外周部と噛合って、突張部材３０を強固に固定することができる。
【００４０】
このように、係止部材６０が、その一方の端部６１aを固定部材本体５０に固定し、他方の端部６１ｂを回動可能にすることにより、突張部材３０を固定部材本体５０から下方に引き下げる際には、係止具６１が水平状態となって突張部材３０が係止爪６４と噛合うことなく下方にスライド可能となる。一方、突張部材３０を固定部材本体５０から上方に引き上げる際には、係止具６１の他方の端部６１ｂが上方に引き上げられて水平状態から垂直方向に向けて傾斜し、突張部材３０が係止爪６４と噛合うことにより係止状態となる。
【００４１】
解除具６５は、固定部材本体５０の上面部５２に上下スライド可能に取り付けられた押下具６５ａを具備し、係止用スプリング６２の反発力に抗して傾斜した係止具６１の他方の端部６１ｂを押し下げる。このように、解除具６５が、係止状態にある係止具６１の他方の端部６１ｂを下方に押し下げて水平状態とすることにより、突張部材３０が係止状態を解除して上方にスライド可能となる。このとき、突張部材３０は、太管３３の外周部に装着された外部スプリング３５の反発力により固定部材本体５０の上方に押し上げられる。
【００４２】
次に、本実施形態に係るドアストッパーの作動状態について説明する。図６は、ドアストッパーの作動状態を示す正面図であって、（Ａ）固定前、（Ｂ）固定時、（Ｃ）解除時の各内部断面図である。
【００４３】
図６（Ａ）は、ドアを固定する前のドアストッパー１００の状態を示している。ドア固定部２０は、基盤部１０と一体的にドア（図示せず）の下方に固定されている。ドア固定部２０の突張部材３０は、外部スプリング３５の反発力により固定部材本体５０の上方に引き上げられた状態にあり、突張部材３０の当接部材３１は、床面Ｇの上方の離れた位置にある。
【００４４】
このとき、係止部材６０の係止具６１は、回動可能な端部６１ｂが係止用スプリング６２の反発力により上方に押し上げられて傾斜している。また、解除具６５の押下具６５ａは、係止具６１の回動可能な端部６１ｂによって押し上げられた状態にある。このことにより、固定部材本体５０の上方に引き上げられた突張部材３０は、上方で安定した状態となる。
【００４５】
次に、図６（Ａ）の状態から、作業者が突張部材３０の上部に取り付けた上栓３６を下方に押し下げて、突張部材３０を床面Ｇに押し当てる。このとき、突張部材３０の細管３２は、内部スプリング３４の反発力に抗して太管３３の内部に伸縮収納可能な状態にある。よって、内部スプリング３４が押し縮められて、その反発力に抗して突張部材３０がドア固定部２０と基盤部１０とを介して、ドア（図示せず）を床面Ｇに固定する。
【００４６】
図６（Ｂ）は、ドアを固定している時のドアストッパー１００の状態を示している。突張部材３０は、細管３２の当接部材３１を床面Ｇに固定され、圧縮された内部スプリング３４の反発力により太管３３を上方に押し上げる。このとき、係止具６１の係止枠６３が傾斜状態となり、係止爪６４の両側エッジ６４ａ、６４ｂと噛合うことにより太管３３の外周部が強固に固定される。
【００４７】
次に、図６（Ｃ）は、ドアの固定を解除した時のドアストッパー１００の状態を示している。図６（Ｂ）の状態から、解除具６５の押下具６５ａを下方に押し下げると、傾斜状態にある係止具６１の係止枠６３が押下げられて水平状態となり、突張部材３０の太管３３の外周部に噛合っていた係止爪６４の両側エッジ６４ａ、６４ｂが太管３３を解除する。その結果、圧縮していた外部スプリング３５の反発力により、突張部材３０が固定部材本体５０の上方に引き上げられ、ドアの固定状態が解除される。
【００４８】
以上説明したように、本考案によれば、スペースをとらずに１体のドアストッパーでドアの両面方向への回動を固定することができ、ドアの底面と床面との距離が大きく或いは変化した場合でもドアを強固に床面に固定することのできるドアストッパーを提供することができる。
【００４９】
なお、本考案の実施にあたり、上記実施形態に限らず次のような種々の変形例が挙げられる。
（１）上記実施形態においては、基盤部やドア固定部の材質について、金属製の係止爪以外は特に説明をしていない。しかし、本考案においては、基盤部やドア固定部の材質（係止爪も含め）を特に限定するものではなく、加工組み立てが容易でドアを強固に固定できる材料であればよい。なお、建築現場において施工時に使用することもあり、また、屋外使用もあり得ることから強度のある金属製で作製することが好ましい。
（２）上記実施形態においては、基盤部として断面Ｌ字形の２つの取付部材の間隔を調節ネジで調整してドアに固定するものとしたが、これに限定するものではなく、ドアにマグネットなどで取り付けるようにしてもよい。また、取付部材を固定用ベルトでドアに固定するようにしてもよい。
【符号の説明】
【００５０】
１０…基盤部、１１，１２…取付部材、１１ａ，１２ａ…側辺、
１１ｂ，１２ｂａ…下辺、１３…ねじ穴、１４…調節ネジ、２０…ドア固定部、
３０…突張部材、３１…当接部材、３２…細管、３３…太管、３４…内部スプリング、
３５…外部スプリング、３６…上栓、３７…中栓、３８…下栓、４０…固定部材、
５０…固定部材本体、５１…蓋、５２…上面部、５３…下面部、
５２ａ，５３ａ，６１ｃ，６４ｃ…挿通穴、６０…係止部材、
６１…係止具、６１a，６１ｂ…端部、６２…係止用スプリング、６３…係止枠、
６４…係止爪、６４ａ、６４ｂ…エッジ、６５…解除具、６５ａ…押下具、
１００…ドアストッパー、２００…ドア、２０１，２０２…表面部、２０３…底面部、
Ｇ…床面、Ｘ…床面からドアの底面部までの距離。
【図１】
0003233243.tif 000003
【図２】
0003233243.tif 000004
【図３】
0003233243.tif 000005
【図４】
0003233243.tif 000006
【図５】
0003233243.tif 000007
【図６】
0003233243.tif 000008
【手続補正書】
【提出日】令和3年5月27日(2021.5.27)
【手続補正１】
【補正対象書類名】実用新案登録請求の範囲
【補正対象項目名】請求項３
【補正方法】変更
【補正の内容】
【請求項３】
前記突張部材は、太管と細管とからなる伸縮可能な円筒二重管からなり、
前記太管は、前記固定部材本体に設けられた前記第１挿通穴を介して上下スライドすると共に、前記係止部材を介して調節された位置で前記固定部材本体に固定され、
前記細管は、一端に前記当接部材を有すると共に、他端を前記太管の内部に挿入された第１スプリングの反発力に抗して当該太管の下端部から内部に挿入して前記太管に対して伸縮収納可能な状態にあり、
前記突張部材の位置を調節して前記当接部材が床面に当接する位置で固定する際には、前記第１スプリングの反発力に抗して前記細管を前記太管の内部に押し込むように固定することにより、前記ドア固定部が前記基盤部を介してドアを強固に固定することを特徴とする請求項２に記載のドアストッパー。
【手続補正２】
【補正対象書類名】明細書
【補正対象項目名】００１３
【補正方法】変更
【補正の内容】
【００１３】
また、本考案は、請求項３の記載によると、請求項２に記載のドアストッパーであって、
前記突張部材は、太管（３３）と細管（３２）とからなる伸縮可能な円筒二重管からなり、
前記太管は、前記固定部材本体に設けられた前記第１挿通穴を介して上下スライドすると共に、前記係止部材を介して調節された位置で前記固定部材本体に固定され、
前記細管は、一端に前記当接部材を有すると共に、他端を前記太管の内部に挿入された第１スプリング（３４）の反発力に抗して当該太管の下端部から内部に挿入して前記太管に対して伸縮収納可能な状態にあり、
前記突張部材の位置を調節して前記当接部材が床面に当接する位置で固定する際には、前記第１スプリングの反発力に抗して前記細管を前記太管の内部に押し込むように固定することにより、前記ドア固定部が前記基盤部を介してドアを強固に固定することを特徴とする。